(57)【要約】      （修正有）【課題】餌に食い付いたときにのみ表示信号が発生される簡略化したうき装置の提供。【解決手段】うきは、好ましくは２つの部分から成る摺動可能なうき本体１０と、信号発生要素１２とを備えており、該信号発生要素１２は、うき本体１０が餌への非食い付き状態にあるとき、うきのユーザが受信することができ且つ、餌に食い付いていないことを示す光及び（又は）音を備える表示信号を発生させることができる。うきは、うき本体１０が餌への食い付き状態にあるとき、餌に食い付いたことを示す、うき本体による表示信号を停止させ又はユーザから不明瞭にする手段を備えることを特徴とする。【選択図】図１
2006230406.tif 000002
【特許請求の範囲】
【請求項１】
釣り用うきにおいて、
うき本体（１０；１１０）と、
うき本体（１０；１１０）が餌への非食い付き状態にあるとき、うきのユーザが受信することができ且つ、餌に食い付いていないことを示す光及び（又は）音を備える表示信号を発生することができる信号発生要素（１２；１１２）と、
うき本体（１０；１１０）が餌への食い付き状態にあるとき、餌に食い付いたことを示す、うき本体（１０；１１０）による表示信号を停止させ又は表示信号をユーザから不明瞭にする手段とを備えることを特徴とする、釣り用うき。
【請求項２】
請求項１に記載の釣り用うきにおいて、うき本体（１０；１１０）は、第一のうき部分（１４；１１４）と、前記第一のうき部分（１４；１１４）内にて摺動可能な第二のうき部分（１６；１１６）とを有する、釣り用うき。
【請求項３】
請求項２に記載の釣り用うきにおいて、うき本体（１０；１１０）は、第一及び第二のうき部分（１４、１６；１１４、１１６）の望ましくない分離を防止し又は制限し得るよう第一のうき部分（１４；１１４）に対する第二のうき部分（１６；１１６）の摺動動作を制限する動き制限要素（３６；１３６）を更に有する、釣り用うき。
【請求項４】
請求項２又は３に記載の釣り用うきにおいて、信号発生要素（１２；１１２）が第二のうき部分（１６；１１６）に設けられ、且つうき本体（１０；１１０）が餌への非食い付き状態にあるとき、第一のうき部分（１４；１１４）の使用時において上端から外方に突き出し又は隔てられる、釣り用うき。
【請求項５】
請求項４に記載の釣り用うきにおいて、信号発生要素（１２；１１２）は、うき本体（１０；１１０）が餌への食い付き状態をとる、ユーザから不明瞭となるように第二のうき部分（１６；１１６）の摺動動作により第一のうき部分（１４；１１４）内に引き込まれる、釣り用うき。
【請求項６】
請求項１ないし５の何れか１つの項に記載の釣り用うきにおいて、表示信号が光であり又は光を含むとき、放出された光エネルギは、化学的活性剤により提供される、釣り用うき。
【請求項７】
請求項６に記載の釣り用うきにおいて、化学的活性剤は、１つ又は複数の発光同位元素を備える、釣り用うき。
【請求項８】
請求項１ないし４の何れか１つの項に記載の釣り用うきにおいて、表示信号が光であり又は光を含むとき、放出された光エネルギは、電気作動式装置により提供される、釣り用うき。
【請求項９】
請求項７に記載の釣り用うきにおいて、電気作動式装置は発光ダイオードである、釣り用うき。
【請求項１０】
請求項１ないし９の何れか１つの項に記載の釣り用うきにおいて、信号発生要素は、うき本体（１０；１１０）が餌への食い付き状態にあるとき、表示信号を不作動にするスイッチを備える、釣り用うき。
【発明の詳細な説明】
【技術分野】
【０００１】
本発明は、信号発生装置を有する釣り用うきに関する。
【背景技術】
【０００２】
光及び（又は）音のような表示信号を発生する信号発生要素を有する信号発生うきを提供することは既知である。英国特許明細書２２８６９５６Ａ号、日本国特許公開８−１９６１７６号公報、日本国特許公開２０００−００４７４１号公報、日本国特許公開１１−１１３４６５号公報及び韓国特許明細書９２０５３９３号は、全て、餌に食い付きが生じたならば、作動される信号発生装置を有する釣り用うきの例である。
【発明の開示】
【発明が解決しようとする課題】
【０００３】
しかし、これら先行技術の装置の全ては、かなり複雑であり、餌に食い付いたときにのみ表示信号が発生されることを必要とする。
【０００４】
本発明は、上述した短所を解決する簡略化したうき装置を提供することを目的とする。
【課題を解決するための手段】
【０００５】
本発明によれば、うき本体と、うき本体が餌への非食い付き状態にあるとき、うきのユーザがこの信号を受信することができ且つ、餌への食い付きが生じていないことを表示する光及び（又は）音を備える表示信号を発生する信号発生要素を備える釣り用うきであって、うき本体が餌の食い付き状態にあり、餌への食い付き状態が生じたことを示すとき、うき本体による表示信号を停止させ又はユーザから不鮮明にする手段を備えることを特徴とする釣り用うきが提供される。
【発明を実施するための最良の形態】
【０００６】
本発明は、添付図面を参照しつつ、単に一例としてのみ以下により特定的に説明する。
【０００７】
添付図面の図１ないし図３を最初に参照すると、２つの部分から成るうき本体１０と、信号発生要素１２とを備える釣り用うきが示されている。該うき本体１０は、不透明又は部分的に不透明な第一の端部が開放した管状うき部分１４と、該第一のうき部分１４内に摺動可能に配置された第二の細長いうき部分１６とを有している。
【０００８】
第一のうき部分１４は、この場合、使用時すなわち使用状態で上端２０に又は該上端に隣接して配置された浮揚要素１８と、第一のうき部分１４の長手方向長さに対して平行に伸びる対向するスロット２２とを有している。
【０００９】
第二のうき部分１６は、釣糸に取り付け得るように使用時すなわち使用状態で下端２８に又は該下端に隣接して配置されたアイ２６を有する薄い細長の浮揚要素２４を有している。浮揚要素２４は、使用時上端３２に又は該上端に隣接して凹所３０を有している。該凹所３０は、凹所３０に対する開口部にくびれ部分３４を有している。
【００１０】
図３に最も良く示すように、動き制限要素３６は、第二のうき部分１６に設けられ、且つ典型的に、プラスチックで出来ている。当該実施の形態において、動き制限要素３６は、浮揚要素２４の外面の形状と相補的な又は実質的に相補的な所要形状とされた中間部分３８を有する実質的に板の形状をしている。中間部分３８の形状は、動き制限要素３６を浮揚要素２４に押し込み嵌めし又はクリップ止めすることを許容し得るようなものとすることができる。
【００１１】
中間部分３８は、この場合、動き制限要素３６の使用時すなわち使用状態において下端４２に又は該下端４２に隣接して外方折り返しリップ部又はリッジ４０も有している。
【００１２】
動き制限要素３６は、中間の所要形状部分３８における長手方向側部の各々に翼状部４４を更に有している。該翼状部分４４は、使用時の第一のうき部分１４の水平方向寸法よりも広い幅を提供し、且つ中間の所要形状部分３８の長手方向長さよりも小さい頂部から底部への寸法を提供するような寸法とされている。その結果、動き制限要素３６は、Ｔ字形又は実質的にＴ字形である。
【００１３】
動き制限要素３６は、ゴムバンド４６又はその他の同様の装置のような取り付け装置により又は追加的に浮揚要素２４に解放可能に取り付ける。動き制限要素３６におけるリッジ４０は、バンド４６が動き制限要素３６から望ましくなく分離するのを防止し又は制限し、また、バンド４６は、浮揚要素２４の長手方向距離に沿って望ましくなく変位するのを防止し又は制限する。
【００１４】
次に、動き制限要素３６が取り付けられた第二のうき部分１６を、典型的に、不当な力を加えずに動き制限要素３６の翼状部４４が第一のうき部分１４のそれぞれのスロット２２内に係合するのを許容するような角度にて第一のうき部分１４内に挿入する。次に、第二のうき部分１６は、スロット２２の端部と当接する動き制限要素３６の翼状部４４によってのみ制限されて、第一のうき部分１４内を摺動することができる。
【００１５】
動き制限要素３６は、うき要素２４の長手方向長さに配置され、このため、動き制限要素３６の翼状部４４がスロット２２の使用時上端と当接するとき、凹所３０を有する浮揚要素２４の上端３２は、第一のうき部分１４の上端２０に又は該上端２０に隣接する位置にある。
【００１６】
この実施の形態における信号発生要素１２は、グローチップすなわち発光チップ装置４８である。これらは、釣具店から広く入手可能である。グローチップ装置４８は、典型的に、１つ又は複数の発光同位元素を有する化学的活性剤を含んでいる。その活性剤を活性化させたとき、該同位元素又は各同位元素は冷光を発し、釣人が受信し又は視認するのできる光表示信号を提供する。
【００１７】
グローチップ装置４８は、浮揚要素２４の上端３２の凹所３０と合わさるよう相補的な又は実質的に相補的な形状とした塊状部分５０を一端に有している。次に、ユーザは、塊状部分５０を凹所３０内に簡単に押し込み嵌めして挿入し、該塊状部分５０は、次に、グローチップ装置４８をくびれ部分３４にて把持する。
【００１８】
第一のうき部分１４におけるスロット２２の長手方向長さは、グローチップ装置４８の長手方向長さと等しく又はより長い。
【００１９】
使用時、動き制限要素３６が浮揚要素２４に取り付けられ、第二のうき部分１６が第一のうき部分１４内に摺動可能に係合し、グローチップ装置４８が浮揚要素２４の凹所３０内に保持され、且つ光を発生する状態にて、釣人はフィシング釣糸に取り付けたうきを投げ込む、すなわちキャスティングする。浮揚性のため、第二のうき部分１６の上端３２は、第一のうき部分１４の上端２０に又は該上端に隣接しており、この状態は、以下に、「餌への非食い付き」状態と称する。その結果、グローチップ装置４８は、第一のうき部分１４から外方に突き出し又は外方向に向けて隔てられ、特に、夜間のような暗い周囲照明状態の間、釣人は発生された光表示信号を容易に視認することができる。このことは、また、うきの正確な位置決めを決定するとき常に有益であり、また、葦床のような何らかの障害物に引っ掛かる可能性があるかどうかを判断するとき、有益である。
【００２０】
第一及び第二のうき部分１４、１６のそれぞれの浮揚性は、典型的に釣糸を介してうきに取り付けられた釣鉤に魚が掛かる迄、第二のうき部分１６の浮揚要素２４の上端３２が第一のうき部分１４の上端２０に又は該上端２０に隣接している、すなわち餌への非食い付き状態に止まるようなものとする。換言すれば、第一のうき部分１４は、第二のうき部分１６よりも大きい浮揚性を有し、該第二のうき部分１６の浮揚性は第一のうき部分の浮揚性よりわずかに小さい。
【００２１】
次に、うきは「餌の食い付き状態」になり、これにより第二のうき部分１６は第一のうき部分１４に対して下方に動く。その結果、動き制限要素３６の翼状部４４はスロット２２に沿って動き、第二のうき部分１６の浮揚要素２４の上端３２は、第一のうき部分１４内に引き込まれる。この相対的な動作の結果、グローチップ装置４８もまた第一のうき部分１４内に引き込まれ、釣人によって視認されないよう不鮮明となる。表示信号が不鮮明となり又は消えることは、釣人に餌の食い付きが生じたことを示すことになる。
【００２２】
動き制限要素３６は所要形状の板であるが、該要素は、ゴムバンド４６により浮揚要素２４の周りに締結されるヒンジ式締結具の形態とすることができる。
【００２３】
第二のうき部分１６の浮揚要素２４は、該浮揚要素と一体的に形成された動き制限要素３６を有することができる。この場合、動き制限要素３６は、解放不能である。
【００２４】
翼状部又はその他の型式のランナすなわち移動部材を第一のうき部分に形成し、内方に突き出すようにし、また、スロットを第二のうき部分に形成することも可能であると考えられる。
【００２５】
単一の移動部材及びスロットの配置のみを利用することも可能である。
【００２６】
第一及び第二のうき部分１４、１６の相対的な変位を制限するその他の配置も可能であると考えられる。例えば、信号発生要素１２が第二のうき部分１６の浮揚要素２４に沿った中間に設けられるならば、この場合、単に第一のうき部分１４の端部と接触し、また、浮揚要素２４に沿って配置されるストッパは、第一及び第二のうき部分１４、１６が望ましくなく分離するのを許容せずに、信号発生要素１２を第一のうき部分１４内に引き込むことを可能にする。この場合、ストッパは、動き制限要素を形成し又はその一部を形成する。
【００２７】
次に、図４及び図５には、うきの第二の実施の形態が示されている。このうきは、その内容を参考として引用し本明細書に含めた英国特許明細書０５０３５８５．２号に詳細に記載されており、従って、更なる詳細な説明は省略する。
【００２８】
このうきは、また、第一及び第二の相対的に摺動可能なうき部分１１４、１１６を有するうき本体１１０を備えており、第一の外側うき部分１１４は大きな浮揚性がある、すなわち「重い（すなわち感度が低い）」、第二の内側うき部分１１６は、僅かに小さい浮揚性がある、すなわち「より軽い（すなわち感度が高い）」。
【００２９】
ピンの形態をした動き制限要素１３６は、第一のうき部分１１４に沿った中間に設けられており、該ピンは、２つの平行なレール１５２によって形成された第二のうき部分１１６の通路或いはスロット１２２内を移動する。
【００３０】
第一及び第二のうき部分１１４、１１６の双方は、うきをフィシング釣糸に取り付けるためのアイ１２６を有している。
【００３１】
第一の実施の形態の場合のように、第二のうき部分１１６は、信号発生要素１１２として作用する発光チップすなわちグローチップ装置１４８を受け入れるように、その使用時すなわち使用状態で上端１３２に凹所１３０を有している。第一及び第二のうき部分１１４、１１６は、うき本体１１０が「餌への非食い付き」状態にあるとき、それぞれの使用時における上端１２０、１３２が互いに同一高さ又は隣接する高さになるような寸法とされている。従って、グローチップ装置１４８は、第一のうき部分１１４から外方に突き出し又は該第一のうき部分から外方向に向けて隔てられており、このため、釣人はグローチップ装置１４８から発生された光を明確に視認することができる。
【００３２】
釣鉤に掛かったとき、うき本体１１０は「餌への食い付き状態」となり、これにより、第二のうき部分１１６は、取り付けた釣糸を介して伝動された釣鉤の動きにより第一のうき部分１１４により不透明な管状体内に引き込まれる。このように、グローチップ装置１４８から発生された光は、再度、釣人の目から不鮮明となる、すなわち隠れ、釣人は餌の食い付きが生じたと判断する。
【００３３】
信号発生要素は、グローチップ装置であることが好ましいが、その他の信号発生要素を使用することができる。例えば、僅かにより複雑であるが、電球又は発光ダイオードのような電気的作動装置を使用することかできる。この使用時、電池のような小型の電源が典型的に第一及び第二のうき部分の何れかに又はその内部に保持される。このように、第二のうき部分が下方に引き込まれるとき、光表示信号は同様に、第一のうき部分により不鮮明となる。
【００３４】
うき本体は、必ずしも２つの部分から成る摺動可能な形態とする必要はない。第一又は第二のうき部分の何れかにスイッチが設けられるならば、スイッチは、釣鉤に魚が掛かることにより作動され、これにより、信号発生要素の光表示信号が消えるようにする。
【００３５】
信号表示要素は、スピーカーのような音発生装置とし又は該音発生装置を含むことができる。このことは、視覚障害又は弱視のある釣人にとって有益なことであろう。この場合、うきが餌への食い付き状態をとるとき、聴覚的表示信号は、不鮮明とされ又は消音され又は完全に停止する。
【００３６】
上述したうきは、組み立てた状態にて又は部品のキットとして提供することができる。
【００３７】
交換用グローチップ装置は、必要に応じて、且つ必要なときに購入することができる。
【００３８】
このように、釣人が表示信号を最早、受信しないことにより、餌への食い付きが生じたことを示す釣り用うきを提供することが可能である。該うきは、簡単に、且つ経済的に製造され、また、現行のうきは、本発明を具体化し得るよう容易に形態変更することができる。
【００３９】
上述した実施の形態は、単に一例として掲げたものであり、特許請求の範囲により記載された本発明の範囲から逸脱せずに、当該技術分野の当業者には、形態変更例が明らかであろう。
【図面の簡単な説明】
【００４０】
【図１】第一の状態である、「餌への非食い付き」状態にある、本発明よる釣り用うきの第一の実施の形態を示す概略図である。
【図２】第二の状態である、「餌への食い付き」状態にある、釣り用うきを示す図１と同様の概略図である。
【図３】図１及び図２に示した動き制限要素の拡大概略図である。
【図４】第一の状態である、「餌への非食い付き」状態にある、本発明による釣り用うきの第二の実施の形態を示す概略図である。
【図５】第二の状態である、「餌への食い付き」状態にある、図４に示した釣り用うきの概略図である。
【符号の説明】
【００４１】
１０  うき本体                      １２  信号発生要素
１４  第一のうき部分                １６  第二のうき部分
１８  浮揚要素                      ２２  スロット
２４  浮揚要素                      ２６  アイ
３６  動き制限要素                  ４０  リッジ
４４  翼状部                        ４６  バンド
４８  グローチップ装置    
１１０  うき本体                    １１２  信号発生要素
１１４  第一の外側うき部分          １１６  第二の内側うき部分
１２０  使用時における上端          １２２  通路すなわちスロット
１２６  アイ                        １３６  動き制限要素
１４８  グローチップ装置
【図１】
2006230406.tif 000003
【図２】
2006230406.tif 000004
【図３】
2006230406.tif 000005
【図４】
2006230406.tif 000006
【図５】
2006230406.tif 000007